(57)【要約】      （修正有）【課題】装置に設置すべき反応容器プレートとは異なる反応容器プレートが設置された状態で反応処理が進行されないようにする。【解決手段】反応処理装置は、プレート設置部に設置される前の反応容器プレートの識別情報とその反応容器プレートに収容されるサンプルの識別情報とを読み取るための第１識別情報読取り部を備えている。第１識別情報読取り部で読み取ったプレート識別情報とサンプル識別情報は互いに結び付けられた状態で識別情報登録部に登録される。本体ユニットにはプレート設置部に設置された反応容器プレートの識別情報を読み取る第２識別情報読取り部が設けられている。設置後プレート識別情報は識別情報照合部によって識別情報登録部に登録されているプレート識別情報と照合される。設置後プレート識別情報と識別情報登録部に登録されているプレート識別情報とが一致しない場合に以降の処理の進行の停止を促す進行制御手段を備えている。【選択図】図２
2010139416.tif 000002
【特許請求の範囲】
【請求項１】
サンプルに反応を起こさせるための反応容器及び前記反応容器に分注するサンプルを収容しておくサンプル容器を備えた反応容器プレートを処理するための反応処理装置において、
前記反応容器プレートは外部から読み取ることができる位置に識別情報が付されたものであり、
前記サンプル容器にサンプルが注入された前記反応容器プレートを設置するためのプレート設置部を備えた本体ユニットと、
前記プレート設置部に設置される前の前記プレート設置部に設置すべき反応容器プレートの識別情報を設置前プレート識別情報として読み取るための第１識別情報読取り部と、
前記第１識別情報読取り部で読み取った設置前プレート識別情報を登録する識別情報登録部と、
前記本体ユニットに設けられ、前記プレート設置部に設置された反応容器プレートの識別情報を設置後プレート識別情報として読み取る第２識別情報読取り部と、
前記設置後プレート識別情報を前記識別情報登録部に登録されている設置前プレート識別情報と照合する識別情報照合部と、
前記識別情報照合部による照合で両プレート識別情報が一致したときに以降の処理の進行を可能にし、一致しなかったときに以降の処理の進行を阻止する進行制御手段と、を備えていることを特徴とする反応処理装置。
【請求項２】
前記第１識別情報読取り部は、前記プレート設置部に設置される反応容器プレートに注入されるサンプルに付された識別情報であるサンプル識別情報も読み取るものであり、
前記識別情報登録部は前記プレート設置部に設置される反応容器プレートの設置前プレート識別情報とその反応容器プレートに注入されるサンプルのサンプル識別情報とを対応させて登録するものである請求項１に記載の反応処理装置。
【請求項３】
前記識別情報はバーコードであり、前記第１識別情報読取り部及び第２識別情報読取り部はバーコードリーダである請求項１又は２に記載の反応処理装置。
【請求項４】
反応処理時は前記プレート設置部を覆う反応処理位置に配置され、反応容器プレートの着脱時は前記プレート設置部を開放するプレート着脱位置に配置されるカバー体と、
前記カバー体を前記プレート着脱位置で固定し、及びその解除を行なうカバー体固定部と、をさらに備え、
前記進行制御手段は前記反応容器プレートの前記プレート設置部への設置後、前記識別情報照合部による照合で両プレート識別情報が一致するまで前記カバー体を前記プレート着脱位置に固定し続けるように前記カバー体固定部を制御するものである請求項１から３のいずれか一項に記載の反応処理装置。
【請求項５】
前記カバー体は前記反応処理位置とプレート設置位置との間を水平方向に移動するものであり、
前記カバー体固定部は、前記プレート設置位置において前記カバー体の水平移動を阻止することにより前記カバー体の固定を行なうものである請求項４に記載の反応処理装置。
【請求項６】
前記反応容器プレートは、前記反応容器に分注するサンプルを収容しておくサンプル容器及び前記サンプル容器と前記反応容器とを接続するためのサンプル注入流路を備え、前記サンプル注入流路の一端は前記サンプル容器の下方で上向きに突出した突起流路であり、前記サンプル容器の使用時に前記サンプル容器が下降して前記突起流路が前記サンプル容器の底面を貫通することで前記サンプル容器に前記サンプル注入流路が接続されるものであり、
前記カバー体は、前記カバー体の前記反応処理位置への移動に伴なって下降して反応容器プレートの前記サンプル容器を下方へ押し込んで前記サンプル容器と前記サンプル注入流路とを接続するサンプル容器押込み機構を備えている請求項５に記載の反応処理装置。
【発明の詳細な説明】
【技術分野】
【０００１】
本発明は生物学的分析、生化学的分析、又は化学分析一般の分野において、医療や化学の現場において各種の解析や分析を行なうのに適する反応容器プレートを用いて反応処理を行なう反応処理装置に関するものである。
【背景技術】
【０００２】
生化学的分析や通常の化学分析では、例えば平板状の基板表面に複数のウエルを形成したマイクロタイタープレートなどのマイクロウエル反応容器プレートが用いられている（例えば特許文献１参照。）。しかし、従来のマイクロウエル反応容器プレートは、使用時には反応容器プレートの上面は大気に開放された状態となる。そのため、サンプルに外部から異物が進入する恐れがあるし、逆に反応生成物が外部の環境を汚染することもありうる。
【０００３】
そこで、本発明者らは、反応容器、サンプルを収容しておくサンプル容器、反応容器とサンプル容器とを接続するための流路、その流路を介して反応容器にサンプルを送るためのシリンジなどを１枚のプレートに集積し、反応容器へのサンプル分注から反応容器内での反応処理までを密閉系で行なうことができるようにすることを提案している（特許文献２参照）。
【特許文献１】特開２００５−１７７７４９号公報
【特許文献２】ＷＯ２００８／９６４９２号公報
【発明の開示】
【発明が解決しようとする課題】
【０００４】
上記のような密閉系の反応容器プレートは、分析すべきサンプルの情報を分析者が装置に入力し、そのサンプルを注射器などを用いて反応容器プレートのサンプル容器に注入した後、反応処理装置に設置して反応処理装置内で反応容器へのサンプルの分注や反応容器の加熱などを行なうといった手順で処理が行なわれる。
【０００５】
上記の処理では、分析すべきサンプルを注入した反応容器プレートとは異なる反応容器プレートを誤って反応処理装置に設置してしまうこともありうる。しかし、従来では、分析者がそのミスに気付かない限りは、誤った反応容器プレートが設置された状態で反応処理が開始されてしまっていた。
【０００６】
そこで本発明は、装置に設置すべき反応容器プレートとは異なる反応容器プレートが設置された状態で反応処理が進行されないようにすることを目的とするものである。
【課題を解決するための手段】
【０００７】
本発明の反応処理装置が対象とする反応容器プレートは、サンプルに反応を起こさせるための反応容器及び反応容器に分注するサンプルを収容しておくサンプル容器を備えるとともに、外部から読み取ることができる位置に識別情報が付されている。この反応処理装置の本体ユニットは上記の反応容器プレートを設置するためのプレート設置部を備えているが、プレート設置部に設置される反応容器プレートは、サンプル容器内に分析すべきサンプルが注入されたものである。該反応処理装置は、プレート設置部に設置される前の反応容器プレートの識別情報（設置前プレート識別番号）を読み取るための例えばバーコードリーダからなる第１識別情報読取り部を備え、第１識別情報読取り部で読み取った設置前プレート識別情報は識別情報登録部に登録される。また、本体ユニットにはプレート設置部に設置された反応容器プレートの識別情報（設置後プレート識別情報）を読み取る第２識別情報読取り部が設けられている。設置後プレート識別情報は、識別情報照合部によって識別情報登録部に登録されている設置前プレート識別情報と照合される。該反応処理装置は、その照合結果に基づいて以降の処理進行の可否の判断を行なう進行制御手段を備えており、進行制御手段は両識別情報が一致したときは以降の処理の進行を可能にし、一致しなかったときは以降の処理の進行を阻止する。
【０００８】
設置後プレート識別情報と設置前プレート識別情報とが一致しないときは、プレート設置部に設置した反応容器プレートが間違っているということである。したがって、そのまま以降の処理を進行すると、装置や分析者が認識しているサンプルとは異なったサンプルが注入された反応容器プレートを処理したり、サンプルが注入されていない未使用状態の反応容器プレートを処理してしまったりすることになる。本発明の反応処理装置は、設置された反応容器プレートが事前に登録されたものでないときは、以降の処理の進行を阻止する機能を備えている。
ここで、「以降の処理の進行を阻止する」とは、以降の処理を進行しないように促す表示を分析者に対して行なうことや以降の処理の進行に関わる機構を動作できない状態に制御することなどであり、それらが同時になされてもよい。
【０００９】
ところで、該反応処理装置にはサンプルに関する情報も入力されるが、そのサンプルに関する情報は分析者による手入力によって入力されてもよいし、バーコードなどの識別情報を読み取ることによって入力されてもよい。識別情報を読み取ることによって入力される場合には、第１識別情報読取り部はプレート設置部に設置される反応容器プレートに注入されるサンプルに付された識別情報であるサンプル識別情報も読み取るものであることが好ましい。その場合、識別情報登録部はプレート設置部に設置される反応容器プレートの設置前プレート識別情報とその反応容器プレートに注入されるサンプルのサンプル識別情報とを対応させて登録するものであることが好ましい。
【００１０】
識別情報登録部が設置前プレート識別情報とサンプル識別情報とを対応させて登録するようになっていれば、複数のサンプルが存在する場合に、各サンプルのサンプル識別情報とそのサンプルを注入する反応容器プレートの設置前プレート識別情報の組合せを先に登録しておくことで、設置後プレート識別情報を読み取ることによってその反応容器プレートに注入されているサンプルを割り出すことができる。したがって、多くのサンプルを連続的に分析する場合にも正確な分析が可能である。
【００１１】
本発明の反応処理装置の具体的な構成として、反応処理時はプレート設置部を覆う反応処理位置に配置され、反応容器プレートの着脱時はプレート設置部を開放するプレート着脱位置に配置されるカバー体と、カバー体をプレート着脱位置で固定し、及びその解除を行なうカバー体固定部と、を備えている場合が挙げられる。この場合の進行制御手段の一例として、反応容器プレートのプレート設置部への設置後、識別情報照合部による照合で両識別情報が一致するまでカバー体をプレート着脱位置に固定し続けるようにカバー体固定部を制御することが挙げられる。反応容器プレートの着脱時はカバー体が開けられるが、反応処理はカバー体は閉じた状態で行なわれる。したがって、カバー体固定部による固定を解除せずにカバー体を閉じることができないようにすれば、以降の処理を進行することができなくなる。
【００１２】
上記のカバー体が反応処理位置とプレート設置位置との間を水平方向に移動するものである場合は、カバー体固定部は、プレート設置位置においてカバー体の水平移動を阻止することによりカバー体の固定を行なう。
【００１３】
本発明者らが提案している反応容器プレートには、反応容器に分注するサンプルを収容しておくサンプル容器及びサンプル容器と反応容器とを接続するためのサンプル注入流路を備え、サンプル注入流路の一端はサンプル容器の下方で上向きに突出した突起流路であり、サンプル容器の使用時にサンプル容器が下降して突起流路がサンプル容器の底面を貫通することでサンプル容器にサンプル注入流路が接続される構造のものがある。そして、そのような反応容器プレートを扱う装置として、カバー体が水平方向へ移動することによって開閉するようになっており、カバー体に、カバー体の反応処理位置への移動に伴なって下降して反応容器プレートのサンプル容器を下方へ押し込んでサンプル容器とサンプル注入流路とを接続するサンプル容器押込み機構が設けられている反応処理装置を提案している。
【００１４】
そのような反応処理装置では、反応容器プレートを設置してカバー体を閉じるだけで、自動的にサンプル容器が下方へ押し込まれてサンプル容器の底面を突起流路が貫通するようになっているため、誤った反応容器プレートを設置してカバー体を閉じてしまった場合は、その反応容器プレートが未使用状態であったとしてもサンプル容器の底部が貫通されて再度利用することができなくなってしまう。そこで、カバー体にサンプル容器押込み機構が設けられている装置においては、カバー体を閉じる前に設置した反応容器プレートが処理すべき反応容器プレートであるか否かを確認し、誤った反応容器プレートであればカバーを閉じることができないようにする。そうすることで、上記の問題を解決できる。
【発明の効果】
【００１５】
本発明の反応処理装置によれば、設置前プレート識別番号を読み取る第１識別情報読取り部と、その設置前プレート識別情報を登録する識別情報登録部と、設置後プレート識別情報を読み取る第２識別情報読取り部と、設置後プレート識別情報を識別情報登録部に登録された設置前プレート識別情報と照合する識別情報照合部と、両プレート識別情報が一致した場合は以降の処理の進行を可能にし、一致しなかったときは以降の処理の進行を阻止する進行停止制御部と、を備えているので、誤った反応容器プレートが設置された状態でその反応容器プレートを用いた処理が進行してしまうことを防止できる。
【発明を実施するための最良の形態】
【００１６】
図１は反応処理装置の一実施例を示す側面図であり、（Ａ）はカバー体を閉じた状態、（Ｂ）はカバー体を開けた状態を示している。
この実施例の反応処理装置１は本体ユニット１ａとカバー体１ｂからなる。カバー体１ｂは本体ユニット１ａ上で水平方向に移動することによって開閉するものである。本体ユニット１ａやカバー体１ｂには反応容器プレート３の反応容器温度を調節するための温度調節機構など種々の機構が設けられている。反応容器プレート３はカバー体１ｂを開けた状態で本体ユニット１ａの上面に設置するようになっている。
【００１７】
本体ユニット１ａに設置される反応容器プレート３はサンプルを収容するためのサンプル容器を備えたものである。サンプルは本体ユニット１ａに反応容器プレート３を設置する前に分析者が事前にサンプル容器に注入する。反応容器プレート３とそのサンプル容器に注入するサンプルにはそれぞれバーコードからなる識別情報が付されている。本体ユニット１ｂは本体ユニット１ａに設置される前の反応容器プレート３のバーコード（設置前プレート識別情報）とその反応容器プレート３に注入されるサンプルのバーコード（サンプル識別情報）を読み取るためのバーコードリーダ（第１識別情報読取り部）８を外部に備えている。
【００１８】
反応処理装置１には該装置１の動作管理や測定データに基づいた演算などを行なうためのソフトウェアを備えたＰＣ（パーソナルコンピュータ）が接続される。
【００１９】
図２は同実施例の反応処理装置の構成を概略的に示すブロック図である。
反応処理装置１は、制御部２、プレート検知部６、第１識別情報読取り部８、識別情報登録部１０、識別情報照合部１２及び第２識別情報読取り部１４を備えている。
【００２０】
制御部２は該反応処理装置１に設けられた各機構の動作を制御するものである。
第１識別情報読取り部８は、分析者が手作業でサンプル識別情報と設置前プレート識別情報を読み取るために外部に設けられたバーコードリーダである。識別情報登録部１０はサンプル識別情報と設置前プレート識別情報とを対応させて登録するものである。識別情報登録部１０は、図１の本体ユニット１ａ内に設けられた記憶装置又は装置１に取り付けられたＰＣの記憶装置によって実現することができる。識別情報登録部１０は複数のサンプル識別情報と設置前プレート識別情報を登録しておくこともできる。なお、識別情報登録部１０に登録されるサンプル識別情報は、装置１に取り付けられたＰＣなどから入力できるようになっていてもよい。
【００２１】
第２識別情報読取り部１４は本体ユニット１ａに設置された反応容器プレート３の識別情報（設置後プレート識別情報）を読み取るために本体ユニット１ａに設けられている。プレート検知部６は本体ユニット１ａへの反応容器プレート３の設置を検知するために本体ユニット１ａに設けられている。プレート検知部６は反応容器プレート３の設置を検知すると制御部２へプレート検知信号を送信し、制御部２はプレート検知部６からのプレート検知信号を受信して、第２識別情報読取り部１４に設置後プレート識別情報の読取りを指示する。第２識別情報読取り部１４で読み取られた設置後プレート識別情報は識別情報照合部１２へ送信される。
【００２２】
識別情報照合部１２は第２識別情報読取り部１４からの設置後プレート識別情報を識別情報登録部１０に登録されている設置前プレート識別情報と照合し、その照合結果を制御部２へ送信する。制御部２は識別情報照合部１２による照合結果に基づいて以降の処理の進行を制御するための進行制御手段２ａを備えている。進行制御手段２ａは識別情報照合部１２において両プレート識別情報が一致したときは以降の処理の進行を可能にするが、両プレート識別除法が一致しなかったときは以降の処理の進行を阻止し、分析者に本体ユニット１ａに設置されている反応容器プレート３の交換を促す。以降の処理の進行を阻止するとは、例えばカバー体１ｂを閉じることができないようにして以降の処理を進行できないようにすることである。反応容器プレート３の交換を促すとは、例えば装置１に接続されているＰＣのモニタに反応容器プレート３の交換を促すメッセージを表示することである。設置後プレート識別情報と設置前プレート識別情報とが一致しなかったときにカバー体１ｂを閉じることができないようにすることは、次に説明するような反応容器プレートを処理する場合において特に有効である。
【００２３】
反応処理装置で処理する反応容器プレートの一例を説明する。図３は反応容器プレートの一例を示す図であり、（Ａ）は平面図、（Ｂ）及び（Ｃ）は（Ａ）のＡ−Ａ位置における断面図であり、（Ｂ）はサンプル容器が独立した状態、（Ｃ）はサンプル容器がサンプル流路に接続された状態である。
【００２４】
この例の反応容器プレート３は、複数の反応容器２０が配列された領域をもち、それら反応容器２０に主流路２２とエアー抜き流路２４が接続されている。反応容器２０が配列されている領域とは異なる領域にロータ３２が平面内方向に回転可能に取り付けられており、ロータ３２の下部上面が該反応容器プレート３の下面に接している。ロータ３２はその回転中心にシリンジポンプのシリンダとなる空間３２ａを備えている。シリンダ３２ａはシリンジ接続流路３２ｂによって反応容器プレート３の下面との接触面まで引き出されている。また、シリンダ３２ａ内にはプランジャ３２ｃが摺動可能に配置されている。
【００２５】
ロータ３２の周囲にサンプル容器２６、試薬容器２８、エアー吸引用容器３０及びベローズ３４が配置されている。主流路２２とベローズ３４はそれぞれ流路２２ａ，３４ａによって該反応容器プレート３の下面側のシリンジ接続流路３２ｃに接続されうる位置に引き出されている。
【００２６】
該反応容器プレート３が未使用の状態では、図２（Ｂ）に示されているように、各容器２６，２８，３０の底部が浮いた状態で保持され、流路２６ａ，２８ａ，３０ａの一端が各容器２６，２８，３０の下方から上方へ突起した突起流路となっている。そして、同図（Ｃ）に示されているように、各容器２６，２８，３０が下方へ押し込まれると各突起流路が各容器２６，２８，３０の底面を貫通して接続され、サンプル容器２６、試薬容器２８及びエアー吸引用容器３０がそれぞれ流路２６ａ，２８ａ，３０ａによって該反応容器プレート３の下面側のシリンジ接続流路３２ｃに接続されうる位置に引き出される。
【００２７】
図２（Ｃ）の状態でロータ３２を回転させることにより、シリンダ３２ａを主流路２２、サンプル容器２６、試薬容器２８及びエアー吸引用容器３０のいずれかに接続し、プランジャ３２ａを上下駆動することにより、これらの容器２６，２８，３０との間で液体や気体を流通させることができる。
【００２８】
上記の反応容器プレート３を処理する反応処理装置の具体的な構造の一例を図４を用いて説明する。図４は反応処理装置の構造を示す図であり、（Ａ）は平面図、（Ｂ）及び（Ｃ）は側面図である。同図においては、カバー体の内側部分のみを図示しており、（Ｃ）ではさらに外側フレームや内側フレームを透明に図示している。
【００２９】
本体ユニット１ａの最上部に反応容器プレート３を設置するためのプレート設置部が設けられている。本体ユニット１ａの側方にプレート設置部を挟んでガイドレール１０６が互いに平行に配置されている。本体ユニット１ａのガイドレール１０６よりもさらに外側に１つずつ計２つのカム１０８が設けられている。
【００３０】
本体ユニット１ａ上にカバー体１ｂが配置されている。カバー体１ｂを支持している外側フレーム１０２はガイドレール１０６に沿って水平方向にのみ移動することができ、これによってカバー体１ｂを水平方向へ開閉することができる。図示は省略されているが、カバー体１ｂには、反応容器プレート３のプランジャ３２ｃを駆動するためのプランジャ駆動機構や反応容器２０内の反応を光学的に測定するための光学測定部などが搭載されている。
【００３１】
外側フレーム１０２の内側にジョイント１１４、シャフト１１８を介して内側フレーム１０４が取り付けられている。外側フレーム１０２のガイドレール１０６に平行な２つの外側側面にジョイント１１４と回転軸を共有するアーム１１０がそれぞれ取り付けられており、各アーム１１０の先端にカムフォロア１１２が取り付けられている。これら２つのカムフォロア１１２は外側フレーム１０２が所定の位置にきたときに同時にカム１０８に接触し、カム１０８に追従するようになっている。
【００３２】
アーム１１０とジョイント１１４は回転軸１１１を共有し、互いが一定角度をなした状態で固定されている。ジョイント１１４はアーム１１０が回転すると一定角度を維持するように同じ方向に回転する。シャフト１１８はジョイント１１４の回転軸１１１とは異なる位置に取り付けられており、ジョイント１１４の回転によって円弧を描くように移動する。シャフト１１８は内側フレーム１０４内側を通って反対側側面を貫通し、その端部にジョイント１１４と同様のジョイント１１６が取り付けられている。ジョイント１１６はジョイント１１４と同様に回転中心が外側フレーム１０２に固定されている。内側フレーム１０４は前後２本のシャフト１１８によって支持されており、水平状態を維持した状態でジョイント１１４，１１６の動作に応じて水平方向又は回転方向に移動する。
【００３３】
また、外側フレーム１０２と内側フレーム１０４の間には垂直な方向に弾性力を発生させるように圧縮バネ１２８が挿入されている。
【００３４】
内側フレーム１０４の内側にガイドレール１０６と平行に配置された２本のスライドレール１２２が設けられている。スライドレール１２２上に、反応処理時に反応容器プレート上に配置されるプレート上面ブロック１２０がスライド可能に配置されている。プレート上面ブロック１２０はサンプル容器２６、試薬容器２８、エアー吸引用容器３０の底面を流路２６ａ，２８ａ，３０ａの一端がそれぞれ貫通して接続されるまでこれらの容器２６，２８，３０を下方へ押し込む封止容器押込み部を構成する。
【００３５】
プレート上面ブロック１２０はバネ１２４によってスライドレール１２２上でのスライドが弾性的に固定されている。本体ユニット１ａにはプレート上面ブロック１２０を反応容器プレート３上の位置で停止させるためのストッパ１２６が設けられている。
本体ユニット１ａの上面に、本体ユニット１ａに設置された反応容器プレート３に付された識別情報を読み取るためのバーコードリーダ（第２識別情報読取り部）１３０が設けられている。図示されていないが、本体ユニット１ａの反応容器プレート３の設置部分に反応容器プレート３の設置を検知するセンサが設けられており、そのセンサが反応容器プレート３の設置を検知したときにバーコードリーダ１３０が作動して反応容器プレート３の識別情報を読み取るようになっている。反応容器プレート３の設置を検知するセンサとしては光学センサや磁気センサを用いることができる。
【００３６】
図４はカバー体１ｂを少し開いた状態を示している。この状態からカバー体１ｂを閉じていくと、カムフォロア１１２がカム１０８に接触し、さらにカバー体１ｂを閉じるように外側フレーム１０２を移動させることによって、アーム１１０及びジョイント１１４が回転軸１１１を中心に反時計方向に回転する。ジョイント１１４の回転により、シャフト１１８を介してジョイント１１４に固定されている内側フレーム１０４も水平姿勢を保ちながら反時計方向に円弧を描くように下降する。
【００３７】
このとき、プレート上面ブロック１２０はバネ１２４の弾性力によって内側フレーム１０４とともに水平方向や回転方向への移動を行なうものの、カバー体１ｂを閉じている途中でプレート保持部１３０上の位置に到達するとストッパ１２６に接触して水平方向への移動を停止し、内側フレーム１０４のさらなる回転移動によってスライドレール１２２上をスライドしながら垂直下降する。
【００３８】
さらにカバー体１ｂを閉じていくと、カムフォロア１１２がカム１０８に乗り上げてアーム１１０及びジョイント１１４が反時計回りにさらに回転し、内側フレーム１０４は円弧を描くようにさらに下降する。プレート上面ブロック１２０は垂直に下降して反応容器プレート３の各容器２６，２８，３０を下方に押し込んで流路２６ａ，２８ａ，３０ａを接続する。
【００３９】
上記の図４の反応処理装置では、反応容器プレート３を設置した後、カバー体１ｂを閉じるだけで流路２６ａ，２８ａ，３０ａの一端が各容器２６，２８，３０の底部を貫通するまで自動的に下方に押し込まれる。そのため、本体ユニット１ａに間違った反応容器プレート３が設置された状態でカバー体１ｂが閉じられると、その反応容器プレート３の各容器２６，２８，３０の底部が流路２６ａ，２８ａ，３０ａの一端で貫通されてしまい、その反応容器プレート３を再度利用することができなくなる。間違った反応容器プレート３が未使用の状態であった場合はその反応容器プレート３が無駄になってしまう。
【００４０】
そこで、本体ユニット１ａにはカバー体固定部１３２が設けられている。カバー体固定部１３２は、例えば、図５に示されているように、円筒形ソレノイドコイル１３２ａの内側に金属製のロックピン１３２ｂが挿入されているものである。ロックピン１３２ｂはバネなどの弾性体１３２ｃによって常時上方へ押されて一部が突出しているが、ソレノイドコイル１３２ａに電圧が印加されたときは発生した電場の影響により突出部がソレノイドコイル１３２ａの内部側へ引き込まれるものである。カバー体１ｂには、カバー体１ｂが完全に開いたときにロックピン１３２ｂが挿入される位置に穴が設けられており、ロックピン１３２ｂがその穴に挿入されることによってカバー体１ｂが完全に開いた状態で固定され、分析者が閉じることができなくなる。カバー体１ｂの固定はソレノイドコイル１３２ａに電圧が印加されてロックピン１３２ｂが穴から引き抜かれることによって解除される。このカバー体固定部１３２によるカバー体１ｂの固定及び解除の動作も制御部２（図２参照）によって制御される。
【００４１】
制御部２は、図２に示したように、進行制御手段２ａを備えている。カバー体固定部１３２を備えたこの例の反応処理装置では、進行制御手段２ａは識別情報照合部１２での照合結果に応じたカバー体固定部１３２の制御を行なうようになっている。具体的には、設置後プレート識別情報と識別情報登録部１０に登録されている設置前プレート識別情報とが一致したときはカバー体１ｂの固定を解除してカバー体１ｂを閉じることができる状態にし、両識別情報が一致しなかったときはカバー体１ｂを固定し続けて閉じることができない状態にする。
【００４２】
上記の反応処理装置における処理の流れを図１〜図６を用いて説明する。図６は図５を用いて説明した反応処理装置を用いた処理の流れの一例を示すフローチャート図である。
分析者は、まず、外部に取り付けられた第１識別情報読取り部（バーコードリーダ）８を用いて、サンプルに付されたバーコードシールとそのサンプルを注入する反応容器プレート３に付されたバーコードシールからそれぞれサンプル識別情報と設置前プレート識別情報を読み取る（ステップＳ１）。なお、サンプル識別情報は装置１に接続されたＰＣから入力してもよい。読み取った（入力された）サンプル識別情報と設置前プレート識別情報は対応した状態で識別情報登録部１０に登録される（ステップＳ２）。分析者は、サンプル識別情報と設置前プレート識別情報を登録した後、サンプルを反応容器プレート３のサンプル容器２６に注入する（ステップＳ３）。サンプルが複数ある場合には、上記ステップＳ１〜Ｓ３を各サンプルについて行ない、サンプル識別情報と設置前プレート識別情報との複数の組合せを識別情報登録部１０に登録して、各サンプルを収容した反応容器プレート３を用意しておく（ステップＳ４）。
【００４３】
反応容器プレート３を本体ユニット１ａに設置するために分析者が反応処理装置１のカバー体１ｂを開けると（ステップＳ５）、カバー体固定部１３２のロックピン１３２ｂがカバー体１ｂに設けられた穴に嵌まり、カバー体１ｂが開いた状態で閉じられないように固定される（ステップＳ６）。
【００４４】
分析者が反応容器プレート３を本体ユニット１ａに設置すると（ステップＳ７）、プレート検知部６が反応容器プレート３を検知し、制御部２にプレート検知信号を発信する（ステップＳ８）。プレート検知信号を受けた制御部２は第２識別信号読取り部１４に本体ユニット１ａに設置された反応容器プレート３の識別情報の読取りを指示し、第２識別信号読取り部１４が本体ユニット１ａに設置された反応容器プレート３の識別情報（設置後プレート識別情報）を読み取る（ステップＳ９）。
【００４５】
識別情報照合部１２は第２識別情報読取り部１４が読み取った設置後プレート識別情報を識別情報登録部１０に登録されている設置前プレート識別情報と照合する（ステップＳ９）。複数の設置前プレート識別情報が識別情報登録部１０に登録されている場合は、設置後プレート識別情報と一致する設置前プレート識別情報が識別情報登録部１０に登録されているか否かを照合する。制御部２は識別情報照合部１２での照合結果に応じてカバー体固定部１３０によるカバー体１ｂの固定を解除するか否かを判断する（ステップＳ１１）
【００４６】
識別情報照合部１２による照合の結果、両識別情報が一致したときは、カバー体固定部１３０のソレノイドコイル１３２ａが作動してロックピン１３２ｂがカバー体１ｂの穴から引き抜かれ、カバー体１ｂの固定が解除される（ステップＳ１２）。分析者はカバー体１ｂを閉じ、以降の処理の進行を装置に指示する（ステップＳ１３）。分析者がカバー体１ｂを閉じることにより、反応容器プレート３の各容器２６，２８，３０に各流路２６ａ，２８ａ，３０ａがそれぞれ接続される。そして、反応処理を開始することにより（ステップＳ１４）、ロータ３２の回転駆動とプランジャ３２ｃの上下駆動によって各反応容器２０へのサンプルの分注がなされ、サンプルが各反応容器２０内に予め収容された反応試薬と混合されて反応が行なわれ、その反応がカバー体１ｂに設けられた光学的測定部によって測定される。
【００４７】
なお、識別情報照合部１２による照合の結果（ステップＳ１０）、両識別情報が一致したときには、例えば反応処理装置１に接続されたＰＣ４のモニタや反応処理装置１に設けられた表示部などに、設置された反応容器プレート３が正しいことを示す表示やカバー体１ｂを閉じることができることを示す表示がなされるようになっていてもよい。
【００４８】
また、識別情報照合部１２による照合（ステップＳ１０）の結果、両識別情報が一致しなかったときはカバー体１ｂの固定は解除されない。分析者はカバー体１ｂを閉じることができず、例えばＰＣ４のモニタに反応容器プレート３が間違っていることを示す表示がなされる。分析者は、別の反応容器プレート３を本体ユニット１ａに設置し直すことにより（ステップＳ７）、新たな反応容器プレート３の設置後プレート識別情報について設置前プレート識別情報との照合がなされ、カバー体１ｂの固定を解除するか否かについて同様の判断がなされる（ステップＳ８〜１１）。
【００４９】
本体ユニット１ａに設置された反応容器プレート３でのサンプルの反応処理が終了した後、登録した反応容器プレートがまだ存在する場合はそれらの反応容器プレート３について上記ステップＳ７〜Ｓ１４の工程を行なう（ステップＳ１５）。
【００５０】
上記の処理手順において、識別情報登録部１０にはサンプルとそのサンプルを収容する反応容器プレート３とが対応して登録され、登録された反応容器プレートであれば本体ユニット１ａに設置された反応容器プレートの識別情報からその反応容器プレート３に収容されているサンプルを割り出すことができるので、サンプルが複数存在する場合であっても識別情報登録部１０に登録するサンプル及び反応容器プレート３の順序と本体ユニット１ａに設置する反応容器プレートの順序を一致させる必要はなく、任意の順序で反応容器プレート３を設置しても正確に分析することができる。
【図面の簡単な説明】
【００５１】
【図１】反応処理装置の一実施例を示す側面図であり、（Ａ）はカバー体を閉じた状態、（Ｂ）はカバー体を開けた状態を示している。
【図２】同実施例の反応処理装置の構成を概略的に示すブロック図である。
【図３】反応容器プレートの一例を示す図であり、（Ａ）は平面図、（Ｂ）及び（Ｃ）は（Ａ）のＡ−Ａ位置における断面図であり、（Ｂ）はサンプル容器が独立した状態、（Ｃ）はサンプル容器がサンプル流路に接続された状態である。
【図４】反応処理装置の具体的な構造の一例を示す図であり、（Ａ）は平面図、（Ｂ）及び（Ｃ）は側面図である。
【図５】カバー体固定部の構造を示す断面図である。
【図６】同実施例の反応処理装置における処理の流れの一例を示すフローチャート図である。
【符号の説明】
【００５２】
１  反応処理装置
１ａ  本体ユニット
１ｂ  カバー体
２  制御部
２ａ  進行制御手段
３  反応容器プレート
４  ＰＣ
６  プレート検知部
８  第１識別情報読取り部
１０  識別情報登録部
１２  識別情報照合部
１４，１３０  第２識別情報読取り部
１３２  カバー体固定部
【図１】
2010139416.tif 000003
【図２】
2010139416.tif 000004
【図３】
2010139416.tif 000005
【図４】
2010139416.tif 000006
【図５】
2010139416.tif 000007
【図６】
2010139416.tif 000008